(57)【要約】【課題】　光貯蔵媒体の種類に関係なく任意の記録フォーマットでデータを記録して、また再生する方法及びその装置、そしてさまざまな記録フォーマットでデータが記録された光貯蔵媒体を提供する。【解決手段】　光貯蔵媒体に任意の記録フォーマットでデータを記録する方法において、前記光貯蔵媒体に記録するデータの記録フォーマットを選択する過程と、前記選択された記録フォーマットで前記データを前記光貯蔵媒体に記録する過程と、前記データの記録フォーマットを示す記録フォーマット情報を付加して記録する過程とを含む。本発明により、データを記録する時にユーザにより選択された記録フォーマットでデータを記録し、併せて記録フォーマット情報を記録することにより、一つの光貯蔵媒体にさまざまな記録フォーマットでデータを記録しつつまた正しく再生できる。【選択図】図５
2004095152.tif 000002
【特許請求の範囲】
【請求項１】
　光貯蔵媒体に任意の記録フォーマットでデータを記録する方法において、
　前記光貯蔵媒体に記録するデータの記録フォーマットを選択する過程と、
　前記選択された記録フォーマットで前記データを前記光貯蔵媒体に記録する過程と、
　前記データの記録フォーマットを示す記録フォーマット情報を付加して記録する過程とを含むデータ記録方法。
【請求項２】
　前記記録するデータの記録フォーマットは、ユーザにより選択されることを特徴とする請求項１に記載のデータ記録方法。
【請求項３】
　前記記録フォーマット情報は、データが記録された領域の次の領域または以前の領域に記録されることを特徴とする請求項１に記載のデータ記録方法。
【請求項４】
　光貯蔵媒体に複数のデータをさまざまな記録フォーマットで記録する方法において、
　前記光貯蔵媒体に記録する各データごとに記録フォーマットを選択する過程と、
　前記選択されたフォーマットで前記各データを前記光貯蔵媒体に記録する過程と、
　前記各データの記録時ごとにその記録フォーマットを示す記録フォーマット情報を付加して記録する過程とを含むデータ記録方法。
【請求項５】
　前記記録するデータの記録フォーマットは、ユーザにより選択されることを特徴とする請求項４に記載のデータ記録方法。
【請求項６】
　前記記録フォーマット情報は、データが記録された領域の次の領域または以前の領域に記録されることを特徴とする請求項４に記載のデータ記録方法。
【請求項７】
　データの記録が完了すればファイルシステムを作成して記録する過程をさらに含む請求項４に記載のデータ記録方法。
【請求項８】
　前記ファイルシステムは、記録時ごとに作成して記録することを特徴とする請求項７に記載のデータ記録方法。
【請求項９】
　前記ファイルシステムは、前記光貯蔵媒体のデータ領域全体に対するデータの記録が完了した時に作成して記録することを特徴とする請求項７に記載のデータ記録方法。
【請求項１０】
　前記ファイルシステムは、各フォーマット別のディレクトリを含み、各ディレクトリには該当フォーマットのデータに関するファイル名、記録フォーマット情報及び開始アドレスを含む属性情報が含まれることを特徴とする請求項８または９に記載のデータ記録方法。
【請求項１１】
　請求項１ないし６のうちいずれの１項による記録方法でデータが記録された光貯蔵媒体からデータを再生する方法において、
　前記光貯蔵媒体の情報領域から再生するデータの記録フォーマット情報を再生する過程と、
　前記記録フォーマット情報を基に該当データを再生する過程とを含むデータ再生方法。
【請求項１２】
　請求項７ないし９のうちいずれの１項による記録方法でデータが記録された光貯蔵媒体からデータを再生する方法において、
　前記光貯蔵媒体からファイルシステムを再生する過程と、
　前記ファイルシステムの情報を利用して再生するデータの記録フォーマット情報及び開始アドレスを再生する過程と、
　前記開始アドレスから前記データを再生し、前記記録フォーマット情報を基に復号化を行う過程とを含むデータ再生方法。
【請求項１３】
　任意の記録フォーマットでデータを記録する光記録装置において、
　入力されるデータ信号をさまざまな記録フォーマットで圧縮／符号化できるコーデック部と、
　前記コーデック部からデータを伝達されて所定の変調処理を行うデジタル信号処理部と、
　前記変調処理されたデータ信号を増幅する増幅部と、
　前記増幅されたデータ信号によりビームを照射して光貯蔵媒体にデータを記録するピックアップ部と、
　前記ピックアップ部のサーボ制御を行うサーボ部と、
　ユーザが選択した記録フォーマットをユーザインターフェースを通じて入力され、前記コーデック部及び前記デジタル信号処理部にこれを通知し、選択された記録フォーマットでデータを加工処理して記録させる制御部とを含んでなる光記録装置。
【請求項１４】
　前記制御部は、選択された記録フォーマットでデータを記録した後、該当記録フォーマットを示す記録フォーマット情報を記録させることを特徴とする請求項１３に記載の光記録装置。
【請求項１５】
　前記制御部は、データを記録する時ごとに各データに対してユーザから記録フォーマットを選択されることを特徴とする請求項１３または１４に記載の光記録装置。
【請求項１６】
　さまざまな記録フォーマットでデータが記録された光貯蔵媒体からデータを再生するための光再生装置において、
　前記光貯蔵媒体にビームを照射してデータ信号を出力するピックアップ部と、
　前記データ信号を増幅する増幅部と、
　前記増幅されたデータ信号を伝達されて所定の復調処理を行うデジタル信号処理部と、
　前記復調処理されたデータ信号を圧縮解除／復号化して出力するコーデック部であり、さまざまな記録フォーマットで圧縮／符号化されたデータ信号を圧縮解除／復号化できるコーデック部と、
　前記ピックアップ部のサーボ制御を行うサーボ部と、
　前記光貯蔵媒体から再生するデータの記録フォーマット情報を再生し、これを前記コーデック部及び前記デジタル信号処理部に通知して前記記録フォーマットによる再生処理を行わせる制御部とを含む光再生装置。
【請求項１７】
　光学的に再生可能な光貯蔵媒体において、
　所定の記録フォーマットでデータが記録されており、前記データが貯蔵された領域の以前の領域または次の領域に前記データの記録フォーマットを示す記録フォーマット情報が記録されている光貯蔵媒体。
【請求項１８】
　光学的に再生可能な光貯蔵媒体において、
　さまざまな記録フォーマットでデータが記録されており、各データの記録フォーマットを示す記録フォーマット情報及び各データの開始アドレスを含むファイルシステム情報が所定領域に記録されている光貯蔵媒体。
【発明の詳細な説明】
【技術分野】
【０００１】
　本発明は、データ記録／再生方法及びその装置及び前記方法でデータが記録された光貯蔵媒体に係り、特にさまざまな記録フォーマットでデータを一つの光貯蔵媒体に記録する方法及びこれを再生する方法、前記記録及び／または再生方法を実現する記録及び／または再生装置及び前記方法でデータが記録された光貯蔵媒体に関する。
【背景技術】
【０００２】
　一般的に、光記録及び再生装置は光学的に再生できる貯蔵媒体にデータを記録し、記録されたデータを再生する装置である。
【０００３】
　光貯蔵媒体としては、ＣＤ−ＲＯＭ、ＣＤ−Ｒ／ＲＷ、ＤＶＤ−ＲＯＭ、ＤＶＤ−Ｒ／ＲＷ、ＤＶＤ−ＲＡＭなど多種があり、これに対応する記録／再生装置としてＣＤ−ＲＯＭドライブ、ＣＤレコーダ、ＤＶＤプレーヤ、ＤＶＤレコーダ、ＤＶＤ−ＲＡＭドライブなどがある。
【０００４】
　光貯蔵媒体にビデオ及び／またはオーディオデータを記録する場合、国際標準化機構で定めた記録フォーマットにより記録しなければならない。この時、従来の記録装置は光貯蔵媒体の種類により一律的な記録フォーマットでデータを記録するように構成されている。そして、再生装置も光貯蔵媒体の種類による決まった記録フォーマットで記録されたデータだけ再生するように構成されている。すなわち、ＤＶＤ−ＲＷディスクにはＤＶＤ−ビデオフォーマットでデータを記録し、ＤＶＤ−ＲＡＭディスクにはＤＶＤ−ＶＲフォーマットでデータを記録しなければならない。
【０００５】
　従って、従来の光ディスク記録及び／または再生装置は該当ディスクにより決まった記録フォーマットでデータを記録せねばならず、他の記録フォーマットでデータを記録しようとする場合にその記録フォーマットに合うディスク及びそのディスクに合う記録回路を備えねばならず、またそれを再生するためにはそれに対応する再生回路を備えなければならない問題があった。
【発明の開示】
【発明が解決しようとする課題】
【０００６】
　本発明のなそうとする技術的課題は、光貯蔵媒体の種類に関係なく所望の記録フォーマットのデータを記録／再生する方法を提供するところにある。
【０００７】
　本発明のなそうとする他の技術的課題は、さまざまな記録フォーマットでデータを一つの光貯蔵媒体に記録／再生する方法を提供するところにある。
【０００８】
　本発明のなそうとするさらに他の技術的課題は、前記の方法を実現するための記録及び／または再生装置を提供するところにある。
【０００９】
　本発明のなそうとするさらに他の技術的課題は、前記の方法でデータが記録された光貯蔵媒体を提供するところにある。
【課題を解決するための手段】
【００１０】
　上記の技術的課題を解決するために、本発明による光貯蔵媒体に任意の記録フォーマットでデータを記録する方法は、前記光貯蔵媒体に記録するデータの記録フォーマットを選択する過程と、前記選択された記録フォーマットで前記データを前記光貯蔵媒体に記録する過程と、前記データの記録フォーマットを示す記録フォーマット情報を付加して記録する過程とを含む。
【００１１】
　上記の他の技術的課題を解決するために、本発明によるデータを再生する方法は、前記光貯蔵媒体の情報領域から再生するデータの記録フォーマット情報を再生する過程と、前記記録フォーマット情報を基に該当データを再生する過程とを含む。
【００１２】
　上記のさらに他の技術的課題を解決するために、本発明による光貯蔵媒体に複数のデータをさまざまな記録フォーマットで記録する方法は、前記光貯蔵媒体に記録する各データごとに記録フォーマットを選択する過程と、前記選択された記録フォーマットで前記各データを前記光貯蔵媒体に記録する過程と、前記各データの記録時ごとにその記録フォーマットを示すフォーマット情報を付加して記録する過程とを含む。
【００１３】
　上記のさらに他の技術的課題を解決するために、本発明によるデータを再生する方法は、前記光貯蔵媒体からファイルシステムを再生する過程と、前記ファイルシステムの情報を利用して再生するデータの記録フォーマット情報及び開始アドレスを再生する過程と、前記開始アドレスから前記データを再生し、前記記録フォーマット情報を基に復号化を行う過程とを含む。
【００１４】
　上記のさらに他の技術的課題を解決するために、本発明による光記録装置は、入力されるデータ信号をさまざまな記録フォーマットで圧縮／符号化するコーデック部と、前記コーデック部からデータを伝達されて所定の変調処理を行うデジタル信号処理部と、ユーザが選択した記録フォーマットをユーザインターフェースを通じて入力され、前記コーデック部及び前記デジタル信号処理部にこれを通知し、選択された記録フォーマットでデータを加工処理して記録させる制御部とを含む。
【００１５】
　上記のさらに他の技術的課題を解決するために、本発明による光再生装置は、データ信号を伝達されて所定の復調処理を行うデジタル信号処理部と、前記復調処理されたデータ信号を圧縮解除／復号化して出力するコーデック部であり、さまざまな記録フォーマットで圧縮／符号化されたデータ信号を圧縮解除／復号化できるコーデック部と、光貯蔵媒体から再生するデータの記録フォーマット情報を再生し、これを前記コーデック部及び前記デジタル信号処理部に通知して前記記録フォーマットによる再生処理を行わせる制御部とを含む。
【００１６】
　上記のさらに他の技術的課題を解決するために、本発明による光学的に再生可能な光貯蔵媒体は、所定の記録フォーマットでデータが記録されており、前記データが貯蔵された領域の以前の領域または次の領域に前記データの記録フォーマットを示す記録フォーマット情報が記録されている媒体である。
【００１７】
　上記のさらに他の技術的課題を解決するために、本発明による光学的に再生可能な光貯蔵媒体は、さまざまな記録フォーマットでデータが記録されており、各データの記録フォーマットを示す記録フォーマット情報及び各データの開始アドレスを含むファイルシステム情報が所定領域に記録されている媒体である。
【発明の効果】
【００１８】
　本発明によれば、ＣＤ−Ｒ／Ｗ、ＤＶＤ−Ｒ／Ｗ、ＤＶＤ−ＲＡＭなどのディスク種に関係なくユーザが選択した記録フォーマットでデータを記録でき、また一つの光貯蔵媒体にさまざまな記録フォーマットでデータを記録できる。
【発明を実施するための最良の形態】
【００１９】
　以下、添付された図面を参照して本発明の望ましい実施例を説明する。
【００２０】
　図１は、本発明による光ディスク記録／再生装置を示すブロック図である。図１に示された光ディスク記録／再生装置の動作を記録モードと再生モードとに分けて説明する。
【００２１】
　記録モード時、ＡＶ（Ａｕｄｉｏ／Ｖｉｄｅｏ）コーデック部１２８は、外部から入力されるオーディオ及びビデオデータを所定の圧縮符号化体系により所定単位で圧縮符号化し、その符号化されたオーディオ及びビデオデータのサイズ及び再生時間情報を提供する。また、本発明でのＡＶコーデック部１２８は、ユーザ所望の記録フォーマットでデータを圧縮符号化するために、さまざまな記録フォーマットでデータを圧縮符号化できなければならない。さまざまな記録フォーマットに対するエンコーダ及びデコーダはすでに公知なので、これに関する詳細な説明は省略する。
【００２２】
　ＤＳＰ（Ｄｉｇｉｔａｌ Ｓｉｇｎａｌ Ｐｒｏｃｅｓｓｏｒ）部１２２は、ＡＶコーデック部１２８で符号化されたデータにＥＣＣ（Ｅｒｒｏｒ Ｃｏｒｒｅｃｔｉｏｎ Ｃｏｄｉｎｇ）のためのデータを付加し、所定の変調体系により変調する。
【００２３】
　ＲＦ（Ｒａｄｉｏ−Ｆｒｅｑｕｅｎｃｙ）増幅部１１６は、ＤＳＰ部１２２から入力される電気的データを光学信号に変換する。ピックアップ部１１４は、フォーカシング及びトラッキングのためのアクチュエータを内蔵しており、ＲＦ増幅部１１６で変換された光学信号をディスク１１２に記録する。
【００２４】
　サーボ部１１８は、ＲＦ増幅部１１６とシステムコントローラ１２４とを通じてＤＳＰ部１２２からサーボ制御に必要な情報を入力される。
【００２５】
　システムコントローラ１２４は、キー入力部１２６を通じてユーザが記録フォーマットを選択すれば、ＡＶコーデック部１２８及びＤＳＰ部１２２にこれを通知する。この時、ＡＶコーデック部１２８及びＤＳＰ部１２２は、前記記録フォーマットにより入力されるデータについての符号化及び変調を行う。その後、前記データは、前記ＲＦ増幅部１１６、ピックアップ部１１４を通じてディスク１１２に記録される。そして、前記データの記録が完了すれば、前記データの記録フォーマットを示す記録フォーマット情報をデータと共に記録する。
【００２６】
　一方、再生モード時にピックアップ部１１４は、レーザビームを利用してディスク１１２から光学信号を再生する。
【００２７】
　ＲＦ増幅部１１６は、ピックアップ部１１４から出力された光学信号を電気的信号に変換し、サーボを行うためのサーボ信号と変調されたデータとを抽出する。
【００２８】
　ＤＳＰ部１２２は、ＲＦ増幅部１１６で変調されたデータを復調し、ＥＣＣを行って誤りを訂正する。サーボ部１１８は、ＲＦ増幅部１１６とシステムコントローラ１２４とからサーボ制御に必要な制御情報を受け取って安定したサーボを行う。
【００２９】
　ＡＶコーデック部１２８は、ＤＳＰ部１２２で圧縮符号化されたオーディオ及びビデオデータを復号化する。
【００３０】
　システムコントローラ１２４は、キー入力部１２６を通じてユーザが入力した命令によりピックアップ部１１４、ＲＦ増幅部１１６、ＤＳＰ部１２２、ＡＶコーデック部１２８を制御し、ディスクに記録されたビデオ／オーディオデータを再生する。この時、システムコントローラ１２４は、装着されたディスクがファイナライズされたディスクと判別されればファイルシステムを再生し、ユーザにより所定ファイルが選択されれば、選択されたファイルが記録された位置にピックアップ部１１４を移動させてファイルデータと共にこのデータについての記録フォーマット情報を再生し、ＤＳＰ部１２２及びＡＶコーデック部１２８が該当する記録フォーマットによりこのデータを再生するように制御する。
【００３１】
　図２は、本発明によりさまざまな記録フォーマットでデータが記録されたデータ構造図である。
【００３２】
　図２を参照すれば、さまざまなフォーマットでそれぞれインコーディングされたビデオ／オーディオデータがＤＶＤ−ＲＷ、ＤＶＤ−ＲＡＭのような一つの光貯蔵媒体に記録されている。例えば、一つのディスクにＤＶＤ、ＭＰ３、ＶＣＤ、ＭＰＥＧ４、ＤＶＤ、ＭＰＥＧ４、ＶＲ（Ｖｉｄｅｏ Ｒｅｃｏｒｄｉｎｇ）、ＭＰ３、ＶＲのデータが一連の順序に記録されうる。
【００３３】
　このように、さまざまな記録フォーマットのデータが記録された光貯蔵媒体を再生するためには、それぞれのデータがいかなる記録フォーマットを有するのかに関する情報が再生装置に与えられなければならない。従って、データの記録時にこのデータの記録フォーマットを示す記録フォーマット情報も共に記録しなければならない。記録フォーマット情報が記録される位置は特別に限定されない。
【００３４】
　本実施例では、各データが記録される各データ領域Ｄの以前の領域に記録フォーマット情報が記録される情報領域Ｉを設定する。情報領域Ｉには記録フォーマット情報だけではなく、データ領域Ｄに記録されたデータのサイズ、開始アドレスのような属性情報も共に記録できる。
【００３５】
　記録フォーマット情報は、各データが記録されたデータ領域の以前の領域または次の領域にそれぞれ記録され、所定領域に一括的に記録されることもある。
【００３６】
　図３のように、ディスクのあらゆる記録可能な領域のうち、所定領域に各データが記録された位置情報と共に記録フォーマット情報を一括して記録することも可能である。すなわち、各データのタイトル、開始アドレス、フォーマット種類を含むテーブルを作成して所定領域に記録する。この時、図３での情報領域Ｉにはファイルシステムを貯蔵できる。ファイルシステムは各フォーマット別にディレクトリを形成し、各フォーマット別のディレクトリはそのフォーマットのデータに関する情報（タイトル、開始アドレス、フォーマット種類、サイズなど）を含む。
【００３７】
　このようなファイルシステムを生成して記録しておけば、再生時にユーザに全体データに関する情報を提供でき、また選択された任意のデータを迅速に再生できる。
【００３８】
　ファイルシステムは、該当ディスクの記録が完了した後で記録するのがよい。しかし、ＤＶＤ−ＲＷやＤＶＤ−ＲＡＭのように再記録が可能なディスクの場合には追加記録時にファイルシステムを再び作成して記録することが可能なので、毎記録時ごとにファイルシステムを作成して記録する。また、ＤＶＤ−Ｒのように一回だけ記録可能なディスクの場合にも、望ましくはディスクのあらゆる領域にデータを記録した後でファイルシステムを作成するのがよいが、毎記録時ごとに新しいファイルシステムを作成して記録することも可能である。
【００３９】
　また、図２のように各データについての記録フォーマット情報を含む各情報領域を各データ領域の以前の領域に設定し、図３のようにファイルシステムを作成して全体記録可能な領域のうち所定領域に記録することも可能である。
【００４０】
　再生装置のシステムコントローラ１２４は、この情報領域Ｉに記録された記録フォーマット情報を再生し、この記録フォーマット情報を基にデータ領域Ｄに記録されたデータを正しく再生する。
【００４１】
　図４は、本発明によるさまざまな記録フォーマットでデータを記録する方法を示すフローチャートである。
【００４２】
　まず、ディスクが挿入されれば、ディスク検知センサを通じてディスクの有無をチェックする（４１０過程）。
【００４３】
　次に、ディスクが挿入されていれば、リードイン情報を再生してディスク種をチェックする（４２０過程）。
【００４４】
　次に、ファイルシステムの存在を確認してファイナライズされたディスクであるか否かをチェックする（４２２過程）。ここで、貯蔵媒体にタイトルを記録してから記録完了したタイトル関連情報を記録する過程を「ファイナライズ」という。この時、ファイナライズされたディスクならば記録を終了する。
【００４５】
　次に、ユーザインターフェースを通じてユーザ所望の形態の記録フォーマットを選択する（４３０過程）。例えば、ユーザは、ＭＰＥＧ２、ＭＰＥＧ４、ＭＰ３、ＡＣ３、ＬＰＣＭなどの記録フォーマットを選択できる。
【００４６】
　次に、ユーザが選択した記録フォーマットでデータを圧縮／符号化してディスクに記録する（４４０過程）。
【００４７】
　次に、一つのタイトルまたは選択された記録フォーマットのデータについての記録が完了すれば（４４２過程）、現在記録したデータの記録フォーマット情報を含むデータ属性に関する情報を情報領域に記録する（４５０過程）。ここで、この情報はデータが記録された領域のすぐ次に、またはその前に設定された情報領域に記録される。
【００４８】
　次に、ユーザインターフェースを通じてユーザが追加でデータを記録するか否かをチェックする（４５２過程）。この時、追加記録と判断されれば、再び記録する記録フォーマットが選択され、４４０過程から４５０過程を反復する。
【００４９】
　従って、ユーザがさまざまな記録フォーマットでデータを記録する場合、一つのディスクには図２に示されたようにＤＶＤ、ＭＰ３、ＶＣＤ、ＭＰＥＧ４、ＤＶＤ、ＭＰＥＧ４、ＶＲ、ＭＰ３、ＶＲなど多様なフォーマットのデータが記録される。
【００５０】
　最終的にディスクにあらゆるデータを記録した後でユーザインターフェースからファイルシステムの生成命令を受信すれば（４６０過程）、システムコントローラ１２４はファイナライズを行ってファイルシステムを生成する（４７０過程）。このファイナライズは記録されたデータ情報を利用してファイルシステムを生成する。このファイルシステムは各フォーマットに該当するデータのタイトル検索情報に利用される。
【００５１】
　例えば、図２に示されたように一つのディスクにさまざまな記録フォーマットでデータを記録したとする。この時、システムコントローラ１２４は、図２のディスクに記録されたＤＶＤ、ＶＣＤ、ＭＰ３、ＭＰＥＧ４、ＶＲのフォーマット別にディレクトリを構成する。このディレクトリの構造は、図５に示されたように既存のＤＶＤのディレクトリ構造にＭＰ３、ＶＣＤ、ＭＰＥＧ４、ＶＲのディレクトリをさらに備えてなされる。そして、それぞれのメインディレクトリには各フォーマットのタイトルに該当する副ディレクトリが形成される。
【００５２】
　ディレクトリ構造は、新しいデータが記録されれば、そのフォーマットにより該当するディレクトリにタイトルを追加し、新しいフォーマットのデータが記録されれば、そのフォーマットのディレクトリを新しく生成することにより、記録時ごとに更新される。
【００５３】
　また、ファイルシステムを記録する領域はデータを記録する前にディスク上にあらかじめ設定した領域でありうる。
【００５４】
　図６は、本発明によるさまざまな記録フォーマットで記録されたデータを再生する方法を示すフローチャートである。
【００５５】
　まず、ディスクが挿入されればディスク検知センサを通じてディスクの有無をチェックする（６１０過程）。
【００５６】
　次に、ディスクが挿入されていればディスク種をチェックする（６２０過程）。
【００５７】
　次に、ファイルシステムの存在を確認してファイナライズされたディスクであるか否かをチェックする（６３０過程）。この時、ファイナライズされたディスクではなければ、情報領域に記録されたデータ情報を再生する（６５０過程）。
【００５８】
　また、ファイナライズされたディスクと確認されれば、ファイルシステムを再生した後でルートディレクトリを分析する（６４０過程）。
【００５９】
　次に、情報領域またはファイルシステムに含まれている記録フォーマット情報を再生し、これを基に再生しようとするデータを復号化して出力する（６６０過程）。
【００６０】
　次に、再生終了命令によりデータ再生を終了する（６７０過程）。
【００６１】
　本発明は、前述の実施例に限定されず、本発明の思想内で当業者による変形が可能であることはもちろんである。すなわち、本発明は前述のＣＤ及びＤＶＤ系列の記録媒体だけでなく、ＨＤ−ＤＶＤのような高密度記録媒体に適用可能である。
【産業上の利用可能性】
【００６２】
　本発明は、より機能的でより小型化した光貯蔵媒体に効果的に適用可能である。
【図面の簡単な説明】
【００６３】
【図１】本発明による光ディスク記録／再生装置を示すブロック図である。
【図２】本発明によりさまざまな記録フォーマットでデータが記録されたデータ構造図の一実施例である。
【図３】本発明によりさまざまな記録フォーマットでデータが記録されたデータ構造図の他の実施例である。
【図４】本発明によるさまざまな記録フォーマットでデータを記録する方法を示すフローチャートである。
【図５】本発明によるディレクトリ構造図である。
【図６】本発明によるさまざまなフォーマットで記録されたデータを再生する方法を示すフローチャートである。
【符号の説明】
【００６４】
　１１２　　ディスク
　１１４　　ピックアップ部
　１１６　　ＲＦ増幅器
　１１８　　サーボ部
　１２２　　ＤＳＰ部
　１２４　　システムコントローラ
　１２６　　キー入力部
　１２８　　ＡＶコーデック部
【図１】
2004095152.tif 000003
【図２】
2004095152.tif 000004
【図３】
2004095152.tif 000005
【図４】
2004095152.tif 000006
【図５】
2004095152.tif 000007
【図６】
2004095152.tif 000008